【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
入力画像データの各色成分を、画像形成するための複数の色材の成分に変換して該複数の色材の成分ごとに表された出力画像データを出力する色変換手段と、
前記出力画像データの各画素について前記変換された複数の色材の成分ごとの使用量の合計である成分色材使用量を算出する成分色材使用量算出手段と、
前記各画素についての成分色材使用量に基づいて目標成分色材使用量を決定し、前記出力画像データ中の前記各画素についての成分色材使用量が前記目標成分色材使用量になるように前記複数の色材の成分ごとの使用量を調整して調整画像データを出力する調整制御手段と
を備えたことを特徴とする画像処理装置。
【請求項２】
前記複数の色材は透明色材を含み、前記調整制御手段は、前記各画素についての成分色材使用量と前記目標成分色材使用量との差分の前記透明色材を追加して前記複数の色材の成分ごとの使用量を調整することを特徴とする請求項１に記載の画像処理装置。
【請求項３】
前記複数の色材は濃度の異なる同一の色相を持つ色材を含み、前記調整制御手段は、前記各画素についての成分色材使用量と前記目標成分色材使用量との差分を前記異なる同一の色相を持つ色材を配合して前記複数の色材の成分ごとの使用量を調整することを特徴とする請求項１に記載の画像処理装置。
【請求項４】
前記調整制御手段は、前記目標成分色材使用量を前記出力画像データ中の前記各画素についての成分色材使用量の最大値に基づいて決定することを特徴とする請求項１、２または３に記載の画像処理装置。
【請求項５】
前記成分色材使用量と光沢度との関係を算出する光沢度関係算出手段をさらに備え、前記調整制御手段は、当該算出された前記成分色材使用量と光沢度との関係により前記出力画像データ中の前記各画素についての成分色材使用量の最大値における光沢度と同一になる前記各画素についての成分色材使用量の最小値を算出して、前記目標成分色材使用量を前記各画素についての成分色材使用量の最小値と決定することを特徴とする請求項４に記載の画像処理装置。
【請求項６】
前記入力画像データの画像形成された場合の光沢度である指定光沢度の入力を受け取る指定光沢度入力手段
をさらに備え、前記調整制御手段は、前記目標成分色材使用量を、前記各画素についての成分色材使用量と前記受け取られた指定光沢度から算出される必要色材使用量とにより決定することを特徴とする請求項１に記載の画像処理装置。
【請求項７】
入力画像データの各色成分を、画像形成するための複数の色材の成分に変換して該複数の色材の成分ごとに表された出力画像データを出力する色変換ステップと、
前記出力画像データの各画素について前記変換された複数の色材の成分ごとの使用量である成分色材使用量を算出する成分色材使用量計算ステップと、
前記各画素についての成分色材使用量に基づいて目標成分色材使用量を決定し、前記出力画像データ中の前記各画素についての成分色材使用量が前記目標成分色材使用量になるように前記複数の色材の成分ごとの使用量を調整して調整画像データを出力する調整制御ステップと
を備えたことを特徴とする画像処理方法。
【請求項８】
前記複数の色材は透明色材を含み、前記調整制御ステップにおいて、前記各画素についての成分色材使用量と前記目標成分色材使用量との差分の前記透明色材を追加して前記複数の色材の成分ごとの使用量を調整することを特徴とする請求項７に記載の画像処理方法。
【請求項９】
前記複数の色材は濃度の異なる同一の色相を持つ色材を含み、前記調整制御ステップにおいて、前記各画素についての成分色材使用量と前記目標成分色材使用量との差分を前記異なる同一の色相を持つ色材を配合して前記複数の色材の成分ごとの使用量を調整することを特徴とする請求項７に記載の画像処理方法。
【請求項１０】
前記調整制御ステップは、前記目標成分色材使用量を前記出力画像データ中の前記各画素についての成分色材使用量の最大値に基づいて決定することを特徴とする請求項７、８または９に記載の画像処理方法。
【請求項１１】
前記成分色材使用量と光沢度との関係を算出する光沢度関係算出ステップをさらに備え、前記調整制御ステップは、当該算出された前記成分色材使用量と光沢度との関係により前記出力画像データ中の前記各画素についての成分色材使用量の最大値における光沢度と同一になる前記各画素についての成分色材使用量の最小値を算出して、前記目標成分色材使用量を前記各画素についての成分色材使用量の最小値と決定することを特徴とする請求項１０に記載の画像処理方法。
【請求項１２】
前記入力画像データの画像形成された場合の光沢度である指定光沢度の入力を受け取る指定光沢度入力ステップ
をさらに備え、前記調整制御ステップは、前記目標成分色材使用量を、前記各画素についての成分色材使用量と前記受け取られた指定光沢度から算出される必要色材使用量とにより決定することを特徴とする請求項７に記載の画像処理方法。
【請求項１３】
入力画像データの各色成分を、画像形成するための複数の色材の成分に変換して該複数の色材の成分ごとに表された出力画像データを出力する色変換ステップと、
前記出力画像データの各画素について前記変換された複数の色材の成分ごとの使用量である成分色材使用量を算出する成分色材使用量計算ステップと、
前記各画素についての成分色材使用量に基づいて目標成分色材使用量を決定し、前記出力画像データ中の前記各画素についての成分色材使用量が前記目標成分色材使用量になるように前記複数の色材の成分ごとの使用量を調整して調整画像データを出力する調整制御ステップと
を備えた命令を実行するプログラム。
【請求項１４】
入力画像データの各色成分を、画像形成するための複数の色材の成分に変換して該複数の色材の成分ごとに表された出力画像データを出力する色変換ステップと、
前記出力画像データの各画素について前記変換された複数の色材の成分ごとの使用量である成分色材使用量を算出する成分色材使用量計算ステップと、
前記各画素についての成分色材使用量に基づいて目標成分色材使用量を決定し、前記出力画像データ中の前記各画素についての成分色材使用量が前記目標成分色材使用量になるように前記複数の色材の成分ごとの使用量を調整して調整画像データを出力する調整制御ステップと
を備えた命令を実行するプログラムを格納したコンピュータ読取可能な記録媒体。
【手続補正２】
【補正対象書類名】明細書
【補正対象項目名】０００７
【補正方法】変更
【補正の内容】
【０００７】
本発明は、上記の課題を解決するため、本願発明の画像処理装置は、入力画像データの各色成分を、画像形成するための複数の色材の成分に変換して複数の色材の成分ごとに表された出力画像データを出力する色変換手段と、出力画像データの各画素について変換された複数の色材の成分ごとの使用量の合計である成分色材使用量を算出する成分色材使用量算出手段と、各画素についての成分色材使用量に基づいて目標成分色材使用量を決定し、出力画像データ中の各画素についての成分色材使用量が目標成分色材使用量になるように複数の色材の成分ごとの使用量を調整して調整画像データを出力する調整制御手段とを備えたことを特徴とする。
【手続補正３】
【補正対象書類名】明細書
【補正対象項目名】０００８
【補正方法】変更
【補正の内容】
【０００８】
本願発明の画像処理方法は、入力画像データの各色成分を、画像形成するための複数の色材の成分に変換して複数の色材の成分ごとに表された出力画像データを出力する色変換ステップと、出力画像データの各画素について変換された複数の色材の成分ごとの使用量である成分色材使用量を算出する成分色材使用量計算ステップと、各画素についての成分色材使用量に基づいて目標成分色材使用量を決定し、出力画像データ中の各画素についての成分色材使用量が目標成分色材使用量になるように複数の色材の成分ごとの使用量を調整して調整画像データを出力する調整制御ステップとを備えたことを特徴とする。
【手続補正４】
【補正対象書類名】明細書
【補正対象項目名】０００９
【補正方法】変更
【補正の内容】
【０００９】
本発明のプログラムは、入力画像データの各色成分を、画像形成するための複数の色材の成分に変換して複数の色材の成分ごとに表された出力画像データを出力する色変換ステップと、出力画像データの各画素について変換された複数の色材の成分ごとの使用量である成分色材使用量を算出する成分色材使用量計算ステップと、各画素についての成分色材使用量に基づいて目標成分色材使用量を決定し、出力画像データ中の各画素についての成分色材使用量が目標成分色材使用量になるように複数の色材の成分ごとの使用量を調整して調整画像データを出力する調整制御ステップとを備えた命令を実行する。
【手続補正５】
【補正対象書類名】明細書
【補正対象項目名】００１０
【補正方法】変更
【補正の内容】
【００１０】
本発明のコンピュータ読取可能な記録媒体は、入力画像データの各色成分を、画像形成するための複数の色材の成分に変換して複数の色材の成分ごとに表された出力画像データを出力する色変換ステップと、出力画像データの各画素について変換された複数の色材の成分ごとの使用量である成分色材使用量を算出する成分色材使用量計算ステップと、各画素についての成分色材使用量に基づいて目標成分色材使用量を決定し、出力画像データ中の各画素についての成分色材使用量が目標成分色材使用量になるように複数の色材の成分ごとの使用量を調整して調整画像データを出力する調整制御ステップとを備えた命令を実行するプログラムを格納している。